(57)【要約】【課題】複数の軽量気泡コンクリートパネルが縦目地部を介して並べられて設置される立上がり壁に、手摺取付用下地鋼材を取り付けるために、乾式で、必要な固定強度が安定的に得られる手摺下地取付構造を提案する。【解決手段】プレート部材（１１）は、縦目地部で隣接する２つの軽量気泡コンクリートパネル（１）の少なくとも一方に固定され、かつ、縦目地部から上方に伸び出ていて、キャップ金物（２２）は、立上がり壁の両方の主面と同一水準の面を有する断面コの字型であり、かつ、縦目地部の上端部を跨ぐ位置に配置され、プレート部材（１１）の上部は、キャップ金物（２２）に固定され、手摺取付用下地鋼材（２１）は、キャップ金物（２２）に固定される。【選択図】図１
2009097211.tif 000002
【特許請求の範囲】
【請求項１】
プレート部材と、キャップ金物とを含み、複数の軽量気泡コンクリートパネルが縦目地部を介して並べられて設置される立上がり壁に、手摺取付用下地鋼材を取り付ける手摺下地取付装置であり、前記プレート部材は、前記縦目地部で隣接する２つの軽量気泡コンクリートパネルの少なくとも一方に固定されるアンカー部と、前記縦目地部から上方に伸張し、前記キャップ金物に固定される上端部とを有し、前記キャップ金物は、断面コの字形で、隣接する２つの前記軽量気泡コンクリートパネルの上方小口面に、前記縦目地部を跨ぐように載置される基部と、前記立上がり壁の内側および外側の両方の主面と同一水準の内側面を有する２つのつば部と、前記プレート部材の上端部の少なくとも一部が貫通する挿通部とを有する手摺下地取付装置。
【請求項２】
前記プレート部材のアンカー部に、前記軽量気泡コンクリートパネルの縦目地部を構成する側方小口面にビスまたは釘により固定するための穴が設けられている請求項１に記載の手摺下地取付装置。
【請求項３】
前記軽量気泡コンクリートパネルの側方小口面に本実加工が施されている場合に使用可能で、該本実加工の形状に沿って、折り曲げ加工が施されている請求項１または２に記載の手摺下地取付装置。
【請求項４】
プレート部材と、キャップ金物とを含み、複数の軽量気泡コンクリートパネルが縦目地部を介して並べられて設置される立上がり壁に、手摺取付用下地鋼材を取り付ける手摺下地取付構造であり、前記プレート部材は、前記縦目地部で隣接する２つの軽量気泡コンクリートパネルの少なくとも一方に固定され、かつ、該縦目地部から上方に伸び出ていて、前記キャップ金物は、前記立上がり壁の内側および外側の主面と同一水準の２つの内側面を有する断面コの字形であり、かつ、前記縦目地部の上端部を跨ぐ位置に配置され、前記プレート部材の上部は、前記キャップ金物に固定され、前記手摺取付用下地鋼材は、前記キャップ金物に固定される手摺下地取付構造。
【請求項５】
複数の軽量気泡コンクリートパネルを有し、隣接する軽量気泡コンクリートパネルは縦目地部を介して並べられて設置されており、プレート部材のアンカー部が、前記隣接する２つの軽量気泡コンクリートパネルの少なくとも一方の側方小口面に固定されており、前記プレート部材の上端部が前記縦目地部から上方に伸長しており、断面コの字形のキャップ金物の基部が、隣接する２つの前記軽量気泡コンクリートパネルの上方小口面に、前記縦目地部を跨ぐように載置され、該キャップ金物のつば部が、前記立上がり壁の内側および外側の両方の主面と同一水準の内側面を有し、隣接する２つの前記軽量気泡コンクリートパネルの上端部に嵌合しており、前記プレート部材の上端部の少なくとも一部が、該キャップ金物の基部に設けられた挿通穴を貫通し、かつ、該キャップ金物の基部に溶接固定されており、１つの前記軽量コンクリートパネルの上方小口面の両方に載置されたキャップ金物の基部に、該軽量コンクリートパネルの上方小口面の上方に載置される下地鋼材の両端が溶接固定されている手摺下地取付構造。
【請求項６】
前記プレート部材のアンカー部には、孔が開けられており、該アンカー部がビスまたは釘で、前記軽量気泡コンクリートパネルの縦目地部を構成する側方小口面に固定されている請求項４または５に記載の手摺下地取付構造。
【請求項７】
前記軽量気泡コンクリートには、本実加工が施されていて、前記プレート部材のアンカー部の面が、該本実加工の対向するそれぞれの面に挟み込まれることにより、動きが拘束され、固定されている請求項４または５に記載の手摺下地取付構造。
【請求項８】
前記軽量気泡コンクリートには、本実加工が施されていて、前記プレート材のアンカー部は、該本実加工に接着されて、固定される請求項４または５に記載の手摺下地取付構造。
【請求項９】
前記軽量コンクリートパネルには、本実加工が施されていて、前記プレート部材が、該本実加工の形状に沿って、折り曲げ加工が施されている、請求項６〜８のいずれかに記載の手摺下地取付構造。
【請求項１０】
隣接する軽量気泡コンクリートパネルを縦目地部を介して並べて設置することにより、複数の軽量気泡コンクリートパネルにより形成される立上がり壁に、手摺取付用下地鋼材を取り付けるための手摺下地取付方法であって、プレート部材のアンカー部を、前記隣接する２つの軽量気泡コンクリートパネルの側方小口面に固定し、前記プレート部材の上端部が前記縦目地部から上方に伸長するようにした後、隣接する軽量気泡コンクリートパネルの側方小口面を合わせて縦目地部を形成するように並べ、断面コの字形のキャップ金物を、該キャップ金物の基部が隣接する２つの前記軽量気泡コンクリートパネルの上方小口面に、前記縦目地部を跨ぐように載置し、かつ、該キャップ金物のつば部が、前記立上がり壁の内側および外側を挟むように、該キャップ金物を、隣接する２つの前記軽量気泡コンクリートパネルの上端部に嵌合させ、該キャップ金物の基部に設けられた挿通穴を貫通する前記プレート部材の上端部の少なくとも一部を、該キャップ金物の基部に溶接固定し、１つの前記軽量コンクリートパネルの上方小口面の両方に載置されたキャップ金物の基部に、下地鋼材の両端を溶接固定することにより、該下地鋼材を前記軽量コンクリートパネルの上方小口面の上方に載置する手摺下地取付方法。
【発明の詳細な説明】
【技術分野】
【０００１】
本発明は、ベランダ、バルコニー、パラペット、廊下、または、階段等の立上がり壁に、軽量気泡コンクリートパネル（以下、ＡＬＣパネルという。）を使用して手摺を取り付けるための手摺下地取付構造に関する。
【背景技術】
【０００２】
ＡＬＣパネルは、建物の壁、床、または、屋根等に使用されている。これらの中で、ＡＬＣパネルをベランダや階段の立上がり壁として使用する場合には、ＡＬＣパネルの横幅方向の略中心において、高さ方向の下部と、中心から下部寄りの中間部とを、パネル取付金具などを介して建物躯体に取り付けて支持する構造が採用されている。
【０００３】
例えば、特許文献１には、図８に示すような立上がり壁の取付構造が開示されている。図８において、点線は、ＡＬＣパネル（１）の内部およびＡＬＣパネル（１）で隠れた部分であることを示している。この立上がり壁の取付構造では、ベランダ壁として使用されるＡＬＣパネル（１）の中に、２つのアンカー（６１、６２）が埋設されており、埋設位置は、横幅方向の略中心において、高さ方向の下部と、中心から下部寄りの中間部である。ＡＬＣパネル（１）は、２つのアンカー（６１、６２）に固定される取付け金具（３５）とボルト（３６）とを介して、建物躯体（３７）に取付けられる。
【０００４】
なお、ＡＬＣパネル（１）の中に埋設されるアンカー（６１、６２）は、ＡＬＣパネル（１）の横幅の１／３以上の長さを有する長尺Ｌ字型プレートであり、中心に、アンカーナットが１個のみ設けられた構造を有する。
【０００５】
その後、アンカー（６１）の高さの位置で、ＡＬＣパネル（１）の屋内側に、起立板の背面（３８ａ）が当接するように、Ｌ字型アングル（３８）が、梁等の建物躯体（３７）に溶接固定される。また、ＡＬＣパネル（１）の下端小口面（１ｂ）は、Ｌ字型の受けアングル（４０）に載置され、受けアングル（４０）の起立板の内側面（４０ａ）がＡＬＣパネル（１）の屋内側の面と当接するように設置される。Ｌ字型アングル（３８）の起立板とＬ字型の受けアングル（４０）の起立板とには、前述の取付け金具（３５）が、アンカー（６１、６２）の位置に対応して固定される。
【０００６】
このような立上がり壁の取付構造によれば、十分な取付け強度を容易に持たせることができ、かつ、少ない取付け部材で、容易に立上がり壁を建物躯体に取り付けることができる。
【０００７】
立上がり壁は、主に、ベランダ、階段、廊下などにおいて採用されることから、その上端に手摺が設けられることが多い。例えば、特許文献２には、図９に示すような手摺の立上がり壁に対する取付構造が開示されている。図９に示す立上がり壁では、図８に示す基本構造に加えて、ＡＬＣパネル（１）の側方小口面（１ｃ）に、凹凸が係合するように実目地を形成し、隣接するＡＬＣパネル（１）の側方小口面（１ｃ）同士を摺動可能に当接させている。さらに、手摺を取り付けるための構造として、ＡＬＣパネル（１）の上端小口面（１ｄ）の横幅方向の中央部またはその付近にアンカー（５０）が植設され、該アンカー（５０）に対して、手摺（５６）を取り付けるための手摺柱（５４）を備えた鋼板（４９）が固定される。
【０００８】
アンカー（５０）の上部には、雄ネジ（５０ａ）が螺刻され、雄ネジ（５０ａ）の少なくとも一部がＡＬＣパネル（１）の上端小口面（１ｄ）より突出するように、アンカー（５０）の残部は、ＡＬＣパネル（１）内にあけられた穴（５１）の中に、モルタル等のセメント系接合材で埋めて固定される。
【０００９】
鋼板（４９）は、所定厚さの帯鋼板であり、予め設けられた貫通孔（５９）に雄ネジ（５０ａ）を貫通させ、これにワッシャ（５２）を通して、ナット（５３）を螺合する。
【００１０】
鋼板（４９）の上面の手摺柱（５４）に対して、笠木（５５）を載置し、手摺柱（５４）の上端部に手摺（５６）を固定する。なお、手摺柱（５４）は、溶接により鋼板（４９）の上面に固定されるが、ビスなどの係止部材を用いて固定してもよい。
【００１１】
図９に示す構造は、鋼板（４９）を緊結させる際に、アンカー（５０）の上部に設けた雄ネジ（５０ａ）にナット（５３）を螺合させるだけの簡単な構造でありながら、十分な強度を有しており、かつ、固定作業も簡単である。
【００１２】
また、手摺の取付構造としては、図１０に示すような構造が、特許文献３に開示されている。この立上がり壁では、ＡＬＣパネル（１）の側方小口面（１ｃ）に半円筒状の凹条（４７）を形成し、２つのＡＬＣパネル（１）の側方小口面（１ｃ）同士が、互いに突き合わされることにより、２つの凹条（４７）により形成される縦目地部（４８）内の空隙部に、モルタルを流し込み、モルタルを硬化させている。これによって、隣接する２つのＡＬＣパネル（１）は一体化され、ＡＬＣパネル（１）の縦目地部（４８）は強度を持つようになり、ＡＬＣパネル（１）にかかる荷重を、隣接する２つのＡＬＣパネル（１）に分散させている。
【００１３】
かかるモルタルの流し込みの際に、上端部に雄ネジ（５０ａ）が形成されたアンカー（５０）を予め用意しておき、ＡＬＣパネル（１）の間の縦目地部（４８）内の空隙部に、雄ネジ（５０ａ）がＡＬＣパネル（１）の上端小口面（１ｄ）よりも突出するように埋設して、アンカー（５０）をモルタルで固定する。
【００１４】
次に、ＡＬＣパネル（１）の上端小口面（１ｄ）から突出したアンカー（５０）に、鋼板（４９）を固定し、鋼板（４９）に手摺柱（５４）を固定することにより、敷設する。より具体的には、予め長孔（５９）が設けられた帯鋼板からなる鋼板（４９）を用意しておき、長孔（５９）にアンカー（５０）を貫通させる。そして、鋼板（４９）の上からアンカー（５０）の上部の雄ネジ（５０ａ）に、ナット（５３）を螺合することにより、ＡＬＣパネル（１）の上端小口面（１ｄ）の上に、鋼板（４９）を固定し、手摺（５６）を取り付けるための構造としている。
【００１５】
図１０に示した構造においては、図９に示した構造と同様に、埋め込まれたアンカー（５０）が突き抜ける孔を、予め鋼板（４９）にあけておき、鋼板（４９）に手摺柱（５４）を、溶接固定する。
【００１６】
係止金具として、このようなアンカー（５０）を利用し、ナット（５３）を用いて、鋼板（４９）を固定して敷設することにより、より少ない部材で取り付けることができるため、コストがより低減し、また、取付け作業も容易になる。
【００１７】
かかる構造により、ＡＬＣパネル（１）が揺れても、鋼板（４９）がＡＬＣパネル（１）の上端小口面（１ｄ）にぴったりくっついて、浮き上がることが全くないので、ＡＬＣパネル（１）の強度と共に、手摺の取付構造としても十分な強度を有することになる。
【００１８】
さらに、固化後のモルタルは、ＡＬＣパネル（１）の数倍の強度を有しており、り、立上がり壁の構造として強固であるとともに、手摺（５６）を取り付ける構造としても強固なものとなる。
【００１９】
しかし、アンカーをＡＬＣに固定するために、特許文献２においてはセメント系の結合材を、特許文献３においてはモルタルを、それぞれ使用するする必要があり、いずれも現場で材料と水を調合し施工する湿式構法となるため、以下のような問題がある。
【００２０】
すなわち、水と粉体を調合する作業と混練する作業が必要であり、手間が多い。
【００２１】
また、孔部あるいは丸溝部に、セメント系の結合材やモルタルを充填する際に、現場が汚れやすい。さらに、養生期間が必要となり、工期が長くなる。
【００２２】
さらに、特許文献３に開示された構造では、モルタルとＡＬＣとの接着力を確保するため、アンカーを植設する空隙部の内面に付着した粉を除去するという煩雑な作業が必要となる。
【特許文献１】特開平０９−２０３１５１号公報
【特許文献２】特開２０００−１２９７７３号公報
【特許文献３】特開平０９−３１７１２０号公報
【発明の開示】
【発明が解決しようとする課題】
【００２３】
本発明は、複数の軽量気泡コンクリートパネルが縦目地部を介して並べられて設置される立上がり壁に、手摺取付用下地鋼材を取り付けるために、乾式で、必要な固定強度が安定的に得られる手摺下地取付構造を提案することを目的とする。
【課題を解決するための手段】
【００２４】
本発明に係る手摺下地取付装置は、複数の軽量気泡コンクリートパネルが縦目地部を介して並べられて設置される立上がり壁に、手摺取付用の下地鋼材を取り付けるためのものであって、プレート部材と、キャップ金物とを含み、前記プレート部材は、前記縦目地部で隣接する２つの軽量気泡コンクリートパネルの少なくとも一方に固定されるアンカー部と、前記縦目地部から上方に伸張し、前記キャップ金物に固定される上端部とを有し、前記キャップ金物は、断面コの字形で、隣接する２つの前記軽量気泡コンクリートパネルの上方小口面に、前記縦目地部を跨ぐように載置される基部と、前記立上がり壁の内側および外側の両方の主面と同一水準の内側面を有する２つのつば部と、前記プレート部材の上端部の少なくとも一部が貫通する挿通部とを有することを特徴とする。
【００２５】
前記プレート部材のアンカー部に、前記軽量気泡コンクリートパネルの縦目地部を構成する側方小口面にビスまたは釘により固定するための穴が設けられていることが好ましい。
【００２６】
また、前記軽量気泡コンクリートパネルの側方小口面に本実加工が施されている場合に使用可能で、該本実加工の形状に沿って、折り曲げ加工が施されていることが好ましい。
【００２７】
一方、本発明に係る手摺下地取付構造は、複数の軽量気泡コンクリートパネルが縦目地部を介して並べられて設置される立上がり壁に、手摺取付用下地鋼材を取り付けるためのものであり、プレート部材と、キャップ金物とを含み、前記プレート部材は、前記縦目地部で隣接する２つの軽量気泡コンクリートパネルの少なくとも一方に固定され、かつ、該縦目地部から上方に伸び出ていて、前記キャップ金物は、前記立上がり壁の内側および外側の主面と同一水準の２つの内側面を有する断面コの字形であり、かつ、前記縦目地部の上端部を跨ぐ位置に配置され、前記プレート部材の上部は、前記キャップ金物に固定され、前記手摺取付用下地鋼材は、前記キャップ金物に固定されていることを特徴とする。
【００２８】
より具体的には、隣接する軽量気泡コンクリートパネルが縦目地部を介して並べられて設置されている場合に、プレート部材のアンカー部が、前記隣接する２つの軽量気泡コンクリートパネルの少なくとも一方の側方小口面に固定されており、前記プレート部材の上端部が前記縦目地部から上方に伸長しており、断面コの字形のキャップ金物の基部が、隣接する２つの前記軽量気泡コンクリートパネルの上方小口面に、前記縦目地部を跨ぐように載置され、該キャップ金物のつば部は、前記立上がり壁の内側および外側の両方の主面と同一水準の内側面を有し、隣接する２つの前記軽量気泡コンクリートパネルの上端部に嵌合しており、前記プレート部材の上端部の少なくとも一部が、該キャップ金物の基部に設けられた挿通穴を貫通し、かつ、該キャップ金物の基部に溶接固定されており、１つの前記軽量コンクリートパネルの上方小口面の両方に載置されたキャップ金物の基部に、該軽量コンクリートパネルの上方小口面の上方に載置される下地鋼材の両端が溶接固定される。
【００２９】
前記プレート部材のアンカー部には、孔が開けられており、該アンカー部がビスまたは釘で、前記軽量気泡コンクリートパネルの縦目地部を構成する側方小口面に固定されていることが好ましい。
【００３０】
また、前記軽量気泡コンクリートには、本実加工が施されていて、前記プレート部材のアンカー部の面が、該本実加工の対向するそれぞれの面に挟み込まれることにより、動きが拘束され、固定されていることが好ましい。
【００３１】
または、前記軽量気泡コンクリートには、本実加工が施されていて、前記プレート材のアンカー部は、該本実加工に接着されて、固定されていることが好ましい。
【００３２】
さらに、前記軽量コンクリートパネルに本実加工が施されている場合に、前記プレート部材が、該本実加工の形状に沿って、折り曲げ加工が施されていることが好ましい。
【００３３】
本発明に係る手摺下地取付方法は、隣接する軽量気泡コンクリートパネルを縦目地部を介して並べて設置することにより、複数の軽量気泡コンクリートパネルにより形成される立上がり壁に、手摺取付用下地鋼材を取り付けるための手摺下地取付方法であって、プレート部材のアンカー部を、前記隣接する２つの軽量気泡コンクリートパネルの側方小口面に固定し、前記プレート部材の上端部が前記縦目地部から上方に伸長するようにした後、隣接する軽量気泡コンクリートパネルの側方小口面を合わせて縦目地部を形成するように並べ、断面コの字形のキャップ金物を、該キャップ金物の基部が隣接する２つの前記軽量気泡コンクリートパネルの上方小口面に、前記縦目地部を跨ぐように載置し、かつ、該キャップ金物のつば部が、前記立上がり壁の内側および外側を挟むように、該キャップ金物を、隣接する２つの前記軽量気泡コンクリートパネルの上端部に嵌合させ、該キャップ金物の基部に設けられた挿通穴を貫通する前記プレート部材の上端部の少なくとも一部を、該キャップ金物の基部に溶接固定し、１つの前記軽量コンクリートパネルの上方小口面の両方に載置されたキャップ金物の基部に、下地鋼材の両端を溶接固定することにより、該下地鋼材を前記軽量コンクリートパネルの上方小口面の上方に載置することを特徴とする。
【発明の効果】
【００３４】
本発明では、プレート部材とキャップ金物とを含む手摺下地取付装置を用いることで、従来のように、アンカー部材を固定するためのセメント系の結合材やモルタルを現場の練混ぜ作業のような湿式作業により準備する必要がなく、容易に施工することができ、よって、現場が汚れたり、養生期間を要することによる工期の遅延が防止されるという効果を得られる。
【発明を実施するための最良の形態】
【００３５】
［第１実施形態］
本発明の第１実施形態について、図１〜４を参照して説明する。図１には、本発明の手摺取付構造の一実施例を斜視図で示す。図２に、図１の手摺取付構造の施工手順を斜視図で示す。図３に、図１の手摺取付構造に使用される金物を斜視図で示す。図４に、図１の手摺取付構造において、パネル目地部を斜視図で示す。
【００３６】
（構造）
従来と同様に、躯体に固定されたパネル受けアングルおよびパネル取付アングルに、ＡＬＣパネルの横幅方向の略中心において、高さ方向の下端部と、中心から下端寄りの中間部とが、パネル取付金具などを介して取り付けられて支持される。
【００３７】
ＡＬＣパネル（１）の一方の側方小口面に、プレート部材（１１）のアンカー部（１１ｂ）が、ビス、釘（２４）または接着剤、あるいは、これらを併用して、固定されている。さらに、隣接するＡＬＣパネル（１）の上端小口面（１ｄ）に、縦目地部に跨るように、略中心に挿通部（２２ａ）が設けられた断面コの字型のキャップ金物（２２）が嵌め込まれており、かつ、プレート部材（１１）の上端部である折り曲げ部（１１ａ）が、挿通部（２２ａ）を突き抜けた状態で、かつ、折り曲げ部（１１ａ）が折り曲げられて、キャップ金物（２２）の上面に溶接されている。また、キャップ金物（２２）の端部上面に跨るように、所定の長さのフラットバーからなる手摺取付用下地鋼材（２１）が敷設され、キャップ金物（２２）の上面と手摺取付用下地鋼材（２１）とは、溶接固定される。
【００３８】
（施工方法）
本発明の手摺取付構造の施工手順について、説明する。施工は、図２に示す施工手順のように行われる。
【００３９】
まず、パネル建て込み前に、図示しないボルトや取付け金物等をＡＬＣパネル（１）に仮止めするとともに、図２（ａ）および図２（ｂ）に示したように、プレート部材（１１）のアンカー部（１１ｂ）を、ＡＬＣパネル（１）の一方の側方小口面に折り曲げ部（１１ａ）が突き出た状態で、ビス、釘（２４）または接着剤、あるいは、これらを併用して、固定する。
【００４０】
次に、図２（ｃ）に示したように、ＡＬＣパネル（１）は、予め、躯体に設置した下地鋼材に建て込み、ボルトおよび取付け金物により、下地鋼材に取付けた後、溶接する。
【００４１】
さらに、図２（ｄ）に示したように、ＡＬＣパネル（１）の上端小口面（１ｄ）において、縦目地部に跨る位置で、キャップ金物（２２）の挿通部（２２ａ）に、ＡＬＣパネル（１）の側方小口面から突き出たプレート部材（１１）の折り曲げ部（１１ａ）を通して、キャップ金物（２２）を設置する。
【００４２】
その後、図２（ｅ）に示したように、折り曲げ部（１１ａ）をハンマーで打撃して、略９０度に折り曲げた後、キャップ金物（２２）の上面に溶接固定する。その後、ＡＬＣパネル（１）の幅寸法に合わせて所定の寸法に切断されたフラットバーからなる手摺取付用下地鋼材（２１）を、キャップ金物（２２）の上面に跨るように敷設し、キャップ金物（２２）の上面に接する部分を溶接固定する。
【００４３】
以上により、本発明の手摺取付構造を得る。
【００４４】
（金物）
プレート部材（１１）は、少なくともＡＬＣパネルの側方小口面に固定するためのアンカー部（１１ｂ）とキャップ金物の挿通穴を貫通し、これに固定される先端部（１１ａ）からなる。ただし、図３（ａ）に示すように、アンカー部と先端部が一枚のプレートからなり、明確に両者が区別される必要はない。
【００４５】
プレート部材（１１）のアンカー部（１１ｂ）は、接着または隣接するＡＬＣパネルの縦目地部に所定の強度をもって挟持される場合には、アンカー部（１１ｂ）に固定用の穴を設ける必要はないが、必要に応じて、または、強度の保持のために、アンカー部（１１ｂ）にビスまたは釘により固定するための穴（１１ｃ）を少なくとも１箇所、好ましくは２箇所以上設けることが好ましい。
【００４６】
ただし、ビス打ちまたは釘打ち用の孔は、打ち損じた場合の増し打ちができるように、図３（ｄ）に示すように、３箇所以上に孔（１２ｃ）をあけたり、図３（ｅ）に示すように長穴（１３ｃ）をあけることが有効である。
【００４７】
また、先端部は、プレート部材がキャップ金物から脱落する可能性を減少させるため、折り曲げ部として、パネル建て込み後、キャップ金物に対して折り曲げられ溶接されるようにすることが好ましい。
【００４８】
前述のように、折り曲げ部（１１ａ）とアンカー部（１１ｂ）の境界について加工を施す必要はないが、固定する際の目安にするため、図３（ｂ）に示すようにけがき線を入れたり、図３（ｃ）に示すようにθ＝１５〜３０度程度の折り曲げ加工を施しておくと、施工し易い。
【００４９】
プレート部材の大きさは、対象となるＡＬＣパネルの大きさ、取り付けられる手摺の大きさ等により任意に決定されるが、一般的には、長さ１５０〜４００ｍｍ程度、幅を３０〜１０ｍｍ程度とする。また、打撃により折り曲げる際、より簡単に折り曲げることを考慮して、その板厚を２．３〜３．２ｍｍ程度とし、折り曲げ部（１１ａ）の長さを２０ｍｍ以上とすることが望ましい。
【００５０】
図１に示したキャップ金物（２２）は、断面コの字型を形成する基部およびつば部とからなる。基部の幅は、対象となるＡＬＣパネルの幅に合わせられ、また、基部の長さは、１５０程度とする。一般的には、基部の幅（内法寸法）を１００〜１５０ｍｍ程度、長さを１００〜２００ｍｍ程度とする。また、つば部は、基部の幅方向の両側に設けられ、基部の幅をＡＬＣパネルの幅に合わせることにより、つば部の内側面は、ＡＬＣパネルの内側および外側の両主面に摺接ないしは近接対向した状態となる。つば部の高さは、キャップ金物（２２）が脱落しない程度とするが、一般的には、１０〜３０ｍｍ程度とする。また、キャップ金物の板厚を１．２〜３．２ｍｍ程度とする。
【００５１】
基部には、プレート部材の折り曲げ部を貫通する挿通部（２２ａ）が加工されている。挿通部（２２ａ）は、プレート部材（１１）の折り曲げ部（１１ａ）が挿通可能な寸法とする。
【００５２】
（パネル目地部の加工形状）
パネル縦目地部（側方小口面）は、フラットなままでもよいが、フラットである場合には、プレート部材（１１）を固定した際に、プレート部材（１１）の厚み分、目地がすいてしまうため、すかないようにするためには、図４に示すように、プレート部材（２２）が固定されるＡＬＣパネル（１）の一方の側方小口面に、プレート部材（１１）の厚み分を相当する削り加工（１ｅ）を施しておくことがより好ましい。
【００５３】
あるいは、図５に平面図で示すように、ＡＬＣパネル（１）の側方小口面に本実部（１ａ）を加工し、雌側の底部にプレート部材（１１）を固定し、ＡＬＣパネル（１）を建て込んだ段階で、雌側と雄側の間にプレート部材（１１）の厚み分に相当する寸法（ｔ）を設けることも有効である。
【００５４】
[第２実施形態]
本発明の異なる実施形態について、図６、７に示す。なお、説明に際しては、第１実施形態と同一の要素に対しては、同一の符号を付し、同様の構造およびその作用効果については、その説明を省略し、異なる部分のみ説明する。
【００５５】
図６には、本発明の手摺取付構造の異なる実施例を斜視図で示す。図７に、図６の手摺取付構造に使用される金物を斜視図で示す。
【００５６】
構造については、従来と同様に、躯体に固定されたパネル受けアングルおよびパネル取付アングルに、ＡＬＣパネルの横幅方向の略中心において、高さ方向の下端部と、中心から下端寄りの中間部とが、パネル取付金具などを介して取り付けられて支持される。
【００５７】
図６に示すように、ＡＬＣパネル（１）の側方小口面の上端寄りには、本実部（１ａ）が加工されており、雌側あるいは雄側の本実部（１ａ）の形状に沿って、折り曲げ加工が施されたプレート部材（１４）が、ビス、釘または接着剤、あるいは、これらを併用して、固定される。ただし、この実施形態の場合、本実部（１ａ）の形状とプレート部材（１４）の形状との間に遊びがない場合には、ビス、釘または接着剤などの固定手段を必要としないという利点がある。  
プレート部材（１４〜１７）には、具体的には、図７（ａ〜ｅ）に示すように、本実部の形状に沿って、折り曲げ加工が施されている。また、上端部に相当する先端部（１４ａ〜１７ａ）は、パネル建て込み後、キャップ金物の挿通部の周囲に溶接するための溶接部（１５ｂ、１６ｂ、１７ｂ）を有していてもよい。
【００５８】
また、溶接部は、折り曲げ加工可能なように構成してもよいが、プレート部材（２２）の先端の一部（１４ａの上端、１５ｂ）が、キャップ金物を貫通し、さらに下地鋼材（２１）の上面とほぼ同一水準となるように、その先端をＡＬＣパネル（１）の上方小口面より突出させるようにしてもよい。
【００５９】
その他の下地鋼材の取付構造および取付方法については、第１実施形態と同様である。
【図面の簡単な説明】
【００６０】
【図１】本発明の手摺取付構造の一実施例を示す斜視図である。
【図２】図１の手摺取付構造の施工手順を示す斜視図である。
【図３】図１の手摺取付構造に使用される金物を示す斜視図である。
【図４】図１の手摺取付構造において、パネル目地部を示す斜視図である。
【図５】図１の手摺取付構造に対して、異なるパネル目地部を示す平面図である。
【図６】本発明の手摺取付構造の異なる実施例を示す斜視図である。
【図７】図６の手摺取付構造に使用される金物を示す斜視図である。
【図８】従来技術のパネル取付構造を示す斜視図である。
【図９】従来技術の手摺取付構造を示す斜視図である。
【図１０】従来技術の手摺取付構造を示す斜視図である。
【符号の説明】
【００６１】
１  ＡＬＣパネル
１ａ  本実部
１ｂ  下端小口面
１ｃ  側方小口面
１ｄ  上端小口面
１ｅ  削り加工
１１、１２、１３  プレート部材
１１ａ、１２ａ、１３ａ  折り曲げ部
１１ｂ、１２ｂ、１３ｂ  アンカー部
１１ｃ、１２ｃ、１３ｃ  孔
１４、１５、１６、１７  プレート部材
１４ａ、１５ａ、１６ａ、１７ａ  先端
１５ｂ、１６ｂ、１７ｂ  溶接部
２１  手摺取付用下地鋼材
２２、２３  キャップ金物
２２ａ、２３ａ  挿通部
２４  釘
３５  取付金具
３６  ボルト
３７  建物躯体
３８  Ｌ字型アングル
３８ａ  背面
４０  受けアングル
４０ａ  内側面
４７  凹条
４８  縦目地部
４９  鋼板
５０、６１、６２  アンカー
５０ａ  雄ネジ
５２  ワッシャ
５３  ナット
５４  手摺柱
５５  笠木
５６  手摺
５９  貫通孔
θ  角度
ｔ  厚さ
【図１】
2009097211.tif 000003
【図２】
2009097211.tif 000004
【図３】
2009097211.tif 000005
【図４】
2009097211.tif 000006
【図５】
2009097211.tif 000007
【図６】
2009097211.tif 000008
【図７】
2009097211.tif 000009
【図８】
2009097211.tif 000010
【図９】
2009097211.tif 000011
【図１０】
2009097211.tif 000012